(57)【要約】【課題】測定機器の適切な位置に測定部位を正確に合わせることができる測定支援装置、測定支援方法、測定支援システム、及びプログラムを提供すること。【解決手段】本発明にかかる測定支援装置１は、画像取得部１１と、画像生成部１２と、表示部１３と、を備える。画像取得部１１は、測定機器を含む機器画像を取得する。画像生成部１２は、機器画像に基づいて、測定部位を測定機器の測定位置にガイドするためのガイド画像を機器画像に重畳させた重畳画像を生成する。表示部１３は、重畳画像を表示する。【選択図】図１
2015167673.tif 000002
【特許請求の範囲】
【請求項１】
測定機器を含む機器画像を取得する画像取得手段と、
前記機器画像に基づいて、測定部位を前記測定機器の測定位置にガイドするためのガイド画像を前記機器画像に重畳させた重畳画像を生成する画像生成手段と、
前記重畳画像を表示する表示手段と、
を備え、
前記ガイド画像は、前記測定機器の測定対象となる体の部位を示す部位画像を含み、
前記画像生成手段は、前記測定機器の予め決められた前記測定位置に前記部位画像を重畳させる測定支援装置。
【請求項２】
前記重畳画像において、前記ガイド画像の位置と、ユーザの測定部位の位置と、を比較し、比較結果に基づいて、前記測定機器が前記ユーザの測定部位を測定可能な状態であるか否かを判定する判定手段をさらに備える請求項１に記載の測定支援装置。
【請求項３】
前記判定手段により測定可能な状態であると判定された場合、測定開始を指示するための信号を前記測定機器に送信する通信手段をさらに備える請求項２に記載の測定支援装置。
【請求項４】
ユーザの体格に関連する体格情報を取得する体格情報取得手段をさらに備え、
前記画像生成手段は、前記体格情報に基づいて、前記重畳画像中の前記ガイド画像の大きさを調整する請求項１〜３のいずれか一項に記載の測定支援装置。
【請求項５】
前記画像生成手段は、前記重畳画像において、前記測定機器に対する前記ガイド画像の位置を変化させる請求項１〜４のいずれか一項に記載の測定支援装置。
【請求項６】
測定機器を含む機器画像を取得するステップと、
前記機器画像に基づいて、測定部位を前記測定機器の測定位置にガイドするためのガイド画像を前記機器画像に重畳させた重畳画像を生成するステップと、
前記重畳画像を表示するステップと、を備え、
前記ガイド画像は、前記測定機器の測定対象となる体の部位を示す部位画像を含み、
前記重畳画像を生成するステップは、前記測定機器の予め決められた前記測定位置に前記部位画像を重畳させる測定支援方法。
【請求項７】
測定機器と、
前記測定機器を含む機器画像を取得する画像取得手段と、
前記機器画像に基づいて、測定部位を前記測定機器の測定位置にガイドするためのガイド画像を前記機器画像に重畳させた重畳画像を生成する画像生成手段と、
前記重畳画像を表示する表示手段と、を備え、
前記ガイド画像は、前記測定機器の測定対象となる体の部位を示す部位画像を含み、
前記画像生成手段は、前記測定機器の予め決められた前記測定位置に前記部位画像を重畳させる測定支援システム。
【請求項８】
コンピュータに、
測定機器を含む機器画像を取得するステップと、
前記機器画像に基づいて、測定部位を前記測定機器の測定位置にガイドするためのガイド画像を前記機器画像に重畳させた重畳画像を生成するステップと、
前記重畳画像を表示するステップと、を実行させ、
前記ガイド画像は、前記測定機器の測定対象となる体の部位を示す部位画像を含み、
前記重畳画像を生成するステップは、前記測定機器の予め決められた前記測定位置に前記部位画像を重畳させる
プログラム。
【請求項９】
測定支援装置と通信可能な測定機器であって、
ユーザの測定部位の位置と前記測定機器の予め決められた測定位置とが一致したことを示す信号を、前記測定支援装置から受信する通信手段と、
前記一致したことを示す信号に基づいて、ユーザの測定部位の測定を開始する測定手段と、
を備える測定機器。
【請求項１０】
測定機器を含む機器画像を取得する画像取得手段と、
前記機器画像に基づいて、ユーザの測定部位の位置と、前記測定機器の予め決められた測定位置と、を比較し、比較結果に基づいて、前記測定機器が前記ユーザの測定部位を測定可能な状態であるか否かを判定する判定手段と、
前記判定手段の判定結果に基づいて、前記ユーザの測定部位の測定を開始する測定手段と、
を備える測定機器。
【発明の詳細な説明】
【技術分野】
【０００１】
本発明は測定支援装置、測定支援方法、測定支援システム、及びプログラムに関する。
【背景技術】
【０００２】
生体情報を検出可能なセンサを備えるヘルスケア機器（測定機器）を用いて生体情報を検出する場合、正確な生体情報を検出するためには、ヘルスケア機器の適切な位置に被験者（ユーザ）の身体の一部を合わせる必要がある。
【０００３】
被験者がヘルスケア機器の適切な位置に体の一部を合わせられるように、ヘルスケア機器と体の一部との位置関係を説明書で示したり、体の一部を合わせる箇所をヘルスケア機器上にマーキングしたりすることが行われている。
【０００４】
なお、特許文献１には、患者の体の画像を取得し、当該画像上に電極取り付け位置を表示する電極配置システムが開示されている。
【先行技術文献】
【特許文献】
【０００５】
【特許文献１】特表２０１０−５０２３４３号公報
【発明の概要】
【発明が解決しようとする課題】
【０００６】
しかしながら、説明書での指示やヘルスケア機器上のマーキングのみでは、被験者が誤解してしまい、ヘルスケア機器の適切な位置に、体の測定部位を正確に合わせることができないおそれがあるという問題がある。
【０００７】
なお、特許文献１に開示された技術は、患者の体に対する電極の取り付け位置を示す技術であり、ヘルスケア機器の適切な位置に体の測定部位を合わせることは開示されていない。
【０００８】
本発明は、このような問題を解決するためになされたものであり、測定機器の適切な位置に測定部位を正確に合わせることができる測定支援装置、測定支援方法、測定支援システム、及びプログラムを提供することを目的としている。
【課題を解決するための手段】
【０００９】
本発明の一態様にかかる測定支援装置は、測定機器を含む機器画像を取得する画像取得手段と、前記機器画像に基づいて、測定部位を前記測定機器の測定位置にガイドするためのガイド画像を前記機器画像に重畳させた重畳画像を生成する画像生成手段と、前記重畳画像を表示する表示手段と、を備え、前記ガイド画像は、前記測定機器の測定対象となる体の部位を示す部位画像を含み、前記画像生成手段は、前記測定機器の予め決められた前記測定位置に前記部位画像を重畳させるものである。
【００１０】
本発明の一態様にかかる測定支援方法は、測定機器を含む機器画像を取得するステップと、前記機器画像に基づいて、測定部位を前記測定機器の測定位置にガイドするためのガイド画像を前記機器画像に重畳させた重畳画像を生成するステップと、前記重畳画像を表示するステップと、を備え、前記ガイド画像は、前記測定機器の測定対象となる体の部位を示す部位画像を含み、前記重畳画像を生成するステップは、前記測定機器の予め決められた前記測定位置に前記部位画像を重畳させるものである。
【００１１】
本発明の一態様にかかる測定支援システムは、測定機器と、前記測定機器を含む機器画像を取得する画像取得手段と、前記機器画像に基づいて、測定部位を前記測定機器の測定位置にガイドするためのガイド画像を前記機器画像に重畳させた重畳画像を生成する画像生成手段と、前記重畳画像を表示する表示手段と、を備え、前記ガイド画像は、前記測定機器の測定対象となる体の部位を示す部位画像を含み、前記画像生成手段は、前記測定機器の予め決められた前記測定位置に前記部位画像を重畳させるものである。
【００１２】
本発明の一態様にかかるプログラムは、コンピュータに、測定機器を含む機器画像を取得するステップと、前記機器画像に基づいて、測定部位を前記測定機器の測定位置にガイドするためのガイド画像を前記機器画像に重畳させた重畳画像を生成するステップと、前記重畳画像を表示するステップと、を実行させ、前記ガイド画像は、前記測定機器の測定対象となる体の部位を示す部位画像を含み、前記重畳画像を生成するステップは、前記測定機器の予め決められた前記測定位置に前記部位画像を重畳させるものである。
【００１３】
本発明の一態様にかかる測定機器は、測定支援装置と通信可能な測定機器であって、ユーザの測定部位の位置と前記測定機器の予め決められた測定位置とが一致したことを示す信号を、前記測定支援装置から受信する通信手段と、前記一致したことを示す信号に基づいて、ユーザの測定部位の測定を開始する測定手段と、を備えるものである。
【００１４】
本発明の一態様にかかる測定機器は、測定機器を含む機器画像を取得する画像取得手段と、前記機器画像に基づいて、ユーザの測定部位の位置と、前記測定機器の予め決められた測定位置と、を比較し、比較結果に基づいて、前記測定機器が前記ユーザの測定部位を測定可能な状態であるか否かを判定する判定手段と、前記判定手段の判定結果に基づいて、前記ユーザの測定部位の測定を開始する測定手段と、を備えるものである。
【発明の効果】
【００１５】
本発明により、測定機器の適切な位置に測定部位を正確に合わせることができる測定支援装置、測定支援方法、測定支援システム、及びプログラムを提供することができる。
【図面の簡単な説明】
【００１６】
【図１】実施の形態１にかかる測定支援装置のブロック図である。
【図２】実施の形態１にかかる測定支援装置の動作を説明するためのフローチャートである。
【図３】実施の形態２にかかるヘルスケア機器の外観図である。
【図４】実施の形態２にかかるヘルスケア機器のブロック図である。
【図５】実施の形態２にかかるヘルスケア機器に測定部位を合わせる位置を説明するための図である。
【図６】実施の形態２にかかる外部機器の外観図である。
【図７】実施の形態２にかかる外部機器のブロック図である。
【図８】実施の形態２にかかる測定支援システムの動作を説明するための図である。
【図９】実施の形態２にかかるヘルスケア機器の動作を説明するためのフローチャートである。
【図１０】実施の形態２にかかる測定手順を説明するための図である。
【図１１】実施の形態２にかかる外部機器の動作を説明するためのフローチャートである。
【図１２】実施の形態２の変形例１にかかる外部機器の動作を説明するための図である。
【図１３】実施の形態２の変形例２にかかる外部機器の動作を説明するための図である。
【発明を実施するための形態】
【００１７】
＜実施の形態１＞
以下、図面を参照して本発明の実施の形態１について説明する。本実施の形態にかかる測定支援装置１は、測定機器を含む機器画像において、測定機器上にユーザの体の測定部位を合わせる位置を表示するものである。なお、測定支援装置１は、例えば、スマートフォンや、タブレット端末、携帯電話機等、少なくとも表示部を備える電子機器である。また、測定機器は、人間や動物の体の少なくとも一部を接近または接触させることにより、人間や動物の生体情報（心拍数、血圧、体温、血糖値等）や、体格、骨格等を測定可能な機器である。
【００１８】
＜測定支援装置１の構成＞
図１のブロック図を参照して、測定支援装置１の構成について説明する。測定支援装置１は、画像取得部１１と、画像生成部１２と、表示部１３と、を備える。画像取得部１１は、機器画像を取得する。ここで、機器画像とは、画像内に測定機器の少なくとも一部が含まれている画像を意味する。なお、機器画像の取得方法としては、画像取得部１１が測定機器を撮像し、機器画像を生成してもよいし、画像取得部１１が測定支援装置１とは異なる撮像装置により撮像された機器画像を受信してもよい。
【００１９】
画像生成部１２は、画像取得部１１により取得された機器画像に基づいて、重畳画像を生成する。ここで、重畳画像とは、ガイド画像を機器画像に重畳させた画像である。
【００２０】
ここで、ガイド画像とは、測定機器の予め決められた測定位置に被験者の測定部位をガイドするための画像である。つまり、ガイド画像は、測定機器の測定位置に測定部位を配置することを誘導するための画像である。ガイド画像は、例えば、測定位置を示す目印やマーカ等を示す画像であってもよい。また、ガイド画像は、測定機器の測定対象となる体の部位（以下、測定対象部位とも称す。）の少なくとも一部を示す画像（部位画像）であってもよい。部位画像は、測定対象部位を仮想的に示した画像である。つまり、部位画像は、測定機器に対する測定対象部位の形状や姿勢を示す画像である。このように、重畳画像においては、現実空間においては存在しない目印や部位（ガイド画像）が、機器画像に重なって表示される。
【００２１】
表示部１３は、ＬＣＤ（Liquid Crystal Display）や有機ＥＬ（Electro Luminescence）等のディスプレイである。表示部１３は、画像生成部１２により生成された重畳画像を表示する。
【００２２】
＜測定支援装置１の動作＞
続いて、本実施の形態にかかる測定支援装置１の動作について、図２に示したフローチャートを参照して説明する。まず、画像取得部１１は、機器画像を取得する（ステップＳ１０１）。なお、画像取得部１１による画像取得処理は、ユーザの操作に応じて行われてもよいし、自動的に（例えば所定時間毎に）行われてもよい。
【００２３】
なお、本実施の形態においては、機器画像には、測定機器が含まれていることを前提としているが、機器画像中に測定機器が含まれているか否かを判定する処理を追加してもよい。
【００２４】
次に、画像生成部１２は、測定機器の機器画像に基づいて、機器画像にガイド画像を重畳させることにより、重畳画像を生成する（ステップＳ１０２）。例えば、画像生成部１２は、機器画像中における測定機器の位置や角度、大きさ等を特定する。そして、画像生成部１２は、測定機器に対する部位画像の位置や角度、大きさ等を示す重畳パラメータを決定する。そして、画像生成部１２は、決定した重畳パラメータを用いて、機器画像にガイド画像を重畳させる。なお、測定機器の機器画像に基づく重畳とは、機器画像における測定機器の大きさ、姿勢、形状、色彩、マーカ、バーコード等を用いて測定機器の位置や角度、大きさ、姿勢等を認識し、測定機器の予め決められた測定位置に、ガイド画像を重畳させることを意味する。画像生成部１２は、生成した重畳画像を表示部１３に出力する。
【００２５】
表示部１３は、取得した重畳画像を表示する（ステップＳ１０３）。これにより、測定支援装置１のユーザは、測定機器の測定位置に目印や部位が存在しているような画像を確認することができる。
【００２６】
以上のように、本実施の形態にかかる測定支援装置１の構成によれば、画像生成部１２が、測定機器の機器画像に基づいて、測定部位を測定機器の測定位置にガイドするためのガイド画像を重畳させた重畳画像を生成する。そして、表示部１３が、当該重畳画像を表示する。このため、ユーザは、表示部１３に表示された重畳画像を参照することにより、測定機器に対する測定部位の接近位置または接触位置を確認することができる。したがって、ユーザは、測定機器の適切な位置に正確に測定対象の部位を合わせられる。
【００２７】
さらに、ガイド画像として部位画像を用いた場合、ユーザの目の前に実在する測定機器の機器画像上に部位画像が表示されているため、ユーザは、表示された重畳画像に含まれる部位画像の位置や姿勢の通りに、自らの測定部位を測定機器に接近または接触させればよい。したがって、測定機器の適切な位置に測定部位を合わせられるため、測定精度も向上する。
【００２８】
＜実施の形態２＞
本発明にかかる実施の形態２について説明する。本実施の形態にかかる測定システムは、ヘルスケア機器１００及び外部機器２００を含む。外部機器２００（測定支援装置）は、非侵襲なヘルスケア機器１００（測定機器）を用いて測定を行う際に、ヘルスケア機器１００に添付したＡＲ（Augmented reality：拡張現実）マーカを認識する。そして、外部機器２００は、ＡＲマーカに基づいて、重畳画像を生成し、表示する。なお、本実施の形態においては、ヘルスケア機器１００の一例として、測定対象部位をユーザの手とする。具体的には、ヘルスケア機器１００は、手の親指の付け根部分の血管に赤外線を照射し、その反射光に基づいて血液中の血糖値を測定する。
【００２９】
＜ヘルスケア機器１００の構成＞
本実施の形態にかかるヘルスケア機器１００の構成について、図３及び図４を参照して説明する。図３（ａ）は、ヘルスケア機器１００の正面図であり、図３（ｂ）は、ヘルスケア機器１００の側面図である。図４は、ヘルスケア機器１００のブロック図である。
【００３０】
図３及び図４に示すように、ヘルスケア機器１００は、表示部１０１と、操作部１０２と、測定窓１０３と、電源スイッチ１０４と、ＡＲマーカ１０５と、測定光学部１０６と、補助記憶部１１１と、主記憶部１１２と、制御部１１３と、測定処理部１１４と、電源部１１５と、通信部１１６と、筐体１２０と、を備える。
【００３１】
表示部１０１は、測定結果や設定画面等を表示するディスプレイである。図３（ａ）に示した例においては、表示部１０１は、「１２３．４」という数値を表示している。
【００３２】
操作部１０２は、ヘルスケア機器１００に対して、測定開始や設定変更等の指示を入力するためのインターフェースである。操作部１０２は、物理的なボタンキーであってもよいし、タッチパネルであってもよい。
【００３３】
測定窓１０３は、ヘルスケア機器１００内部に配置された測定光学部１０６から出射される赤外線を透過し、測定対象部位からの反射光を透過する窓である。つまり、測定窓１０３の配置位置が、ヘルスケア機器１００の測定位置を示す。
【００３４】
電源スイッチ１０４は、ヘルスケア機器１００の電源のオンオフを切り替えるスイッチである。
【００３５】
ＡＲマーカ１０５は、外部機器２００において実行されるアプリケーションにおいて、ヘルスケア機器１００及び測定窓１０３の位置や姿勢、大きさ等を認識するためのマーカである。図３（ａ）に示した例においては、ヘルスケア機器１００は、２つのＡＲマーカ１０５を有している。ＡＲマーカ１０５は、平面視において、測定窓１０３を挟むように筐体１２０の両端部に位置している。なお、ＡＲマーカの位置や形状等は、図３（ａ）に示すものに限られない。また、ＡＲマーカ１０５としては、図形
【００３６】
測定光学部１０６は、血糖値測定のための赤外線を出射し、血管に反射した反射光を受光する。測定光学部１０６は、例えば、赤外線を出射するＬＥＤ（Light Emitting Diode）と、反射光を受光する受光素子と、を備える。
【００３７】
補助記憶部１１１は、例えばＲＡＭ（Random Access Memory）等のメモリであり、測定結果やヘルスケア機器１００を制御するための制御プログラム等を格納する。
【００３８】
主記憶部１１２は、例えばＲＡＭ等のメモリであり、制御部１１３が制御プログラムを実行展開するための作業用メモリである。
【００３９】
制御部１１３は、例えばＣＰＵ(Central Processing Unit)等であり、補助記憶部１１１に格納された制御プログラムに基づいて、ヘルスケア機器１００の処理ブロック全体を制御する。
【００４０】
測定処理部１１４は、測定光学部１０６の検出結果（測定光学部１０６の受光素子が受光した反射光の光量等）に基づいて、血液中の血糖値を解析する。なお、反射光に基づく血糖値の解析については公知の技術を用いることができるため、詳細な説明を省略する。
【００４１】
電源部１１５は、ヘルスケア機器１００を駆動させるために必要な電源を供給する。電源部１１５は、例えば、電池及びバッテリ等である。また、外部電源（コンセント等）から電源の供給を受ける場合には、電源部１１５は、交流直流変換器等である。
【００４２】
通信部１１６は、外部機器２００との間で情報の送受信を行う。通信部１１６は、例えば、ｂｌｕｅｔｏｏｔｈ（登録商標）やＷｉ−Ｆｉ（登録商標）での通信を行う無線通信モジュールである。なお、通信部１１６は、通信ケーブル等を介して、有線で外部機器２００と通信を行ってもよい。
【００４３】
ここで、図５を参照して、本実施の形態にかかるヘルスケア機器１００を用いた適切な位置での測定及び不適切な位置での測定について説明する。図５（ａ）は、測定位置９０２（測定窓１０３の位置）が被験者の手９０１の親指の付け根に位置しており、被験者の手９０１がヘルスケア機器１００の適切な位置に配置されている状態を示している。一方、図５（ｂ）、（ｃ）は、被験者が誤った位置に手９０１を配置している例である。
【００４４】
＜外部機器２００の構成＞
続いて、本実施の形態にかかる外部機器２００の構成について、図６及び図７を参照して説明する。図６（ａ）は、外部機器２００の正面図であり、図６（ｂ）は、外部機器２００の側面図である。図７は、外部機器２００のブロック図である。
【００４５】
図６及び図７に示すように、外部機器２００は、表示部２０１と、撮像部２０２と、補助記憶部２１１と、主記憶部２１２と、操作部２１３と、制御部２１４と、画像生成部２１５と、電源部２１６と、通信部２１７と、筐体２２０と、を備える。
【００４６】
表示部２０１は、画像生成部２１５により生成された重畳画像や、ヘルスケア機器１００から送信された測定結果等を表示するディスプレイである。
【００４７】
撮像部２０２（画像取得手段）は、レンズ及び受光素子を有するカメラである。撮像部２０２は、表示部２０１が設けられている面とは反対側の面に設けられている。撮像部２０２は、ユーザの操作に応じて撮像処理を行い、撮像画像を生成する。
【００４８】
補助記憶部２１１は、例えばＲＡＭ等のメモリであり、撮像画像に重畳させる部位画像や、外部機器２００を制御するための制御プログラム等を格納する。
【００４９】
主記憶部２１２は、例えばＲＡＭ等のメモリであり、制御部２１４が制御プログラムを実行展開するための作業用メモリである。
【００５０】
操作部２１３は、外部機器２００に対して、撮像開始や設定変更等の指示を入力するためのインターフェースである。本実施の形態においては、操作部２１３は、表示部２０１のディスプレイ上に設けられたタッチパネルである。勿論、操作部２１３は、物理的なボタンキーであってもよい。
【００５１】
制御部２１４は、例えばＣＰＵ等であり、補助記憶部２１１に格納された制御プログラムに基づいて、外部機器２００の処理ブロック全体を制御する。また、制御部２１４は、撮像部２０２により生成された撮像画像に基づいて、ヘルスケア機器１００に添付されたＡＲマーカ１０５を検出する。
【００５２】
画像生成部２１５は、制御部２１４により検出されたＡＲマーカ１０５の撮像画像（機器画像）中の位置や大きさ、角度等に基づいて、ヘルスケア機器１００の種類や、撮像画像におけるヘルスケア機器１００の位置、姿勢、及び大きさ等を特定する。そして、画像生成部２１５は、ヘルスケア機器１００の種類や、撮像画像におけるヘルスケア機器１００の位置、姿勢、及び大きさ等に基づいて、撮像部２０２により生成された撮像画像に部位画像を重畳させることにより、重畳画像を生成する。
【００５３】
ここで、重畳画像の生成方法の一例について簡単に説明する。画像生成部２１５は、撮像画像におけるヘルスケア機器１００の位置、姿勢、及び大きさ等に基づいて、ヘルスケア機器１００を基準とする三次元座標を生成する。そして、画像生成部２１５は、ヘルスケア機器１００の種類に対応する部位画像を補助記憶部２１１から取得する。そして、画像生成部２１５は、ヘルスケア機器１００の位置、姿勢、及び大きさ等に基づいて、部位画像の位置、姿勢、及び大きさ等（重畳パラメータ）を調整し、ヘルスケア機器１００の予め決められた位置に、部位画像を重畳させる。これにより、ヘルスケア機器１００の予め決められた位置に予め決められた姿勢で測定対象となる部位画像が表示される。
【００５４】
電源部２１６は、外部機器２００を駆動させるために必要な電源を供給する。電源部２１６は、例えば、電池及びバッテリ等である。
【００５５】
通信部２１７は、ヘルスケア機器１００との間で情報の送受信を行う。通信部２１７は、例えば、ｂｌｕｅｔｏｏｔｈ（登録商標）やＷｉ−Ｆｉ（登録商標）での通信を行う無線通信モジュールである。
【００５６】
ここで、ヘルスケア機器１００及び外部機器２００を含む測定支援システムの動作の概要について、図８を参照して説明する。まず、ユーザ９００の操作に応じて、外部機器２００がヘルスケア機器１００を撮影する（ステップＳ１１）。次に、外部機器２００が、撮影している撮像画像中のマーカ位置に基づいて、撮像画像に部位画像を重畳させることにより重畳画像を生成する（ステップＳ１２）。外部機器２００は、重畳画像を表示部２０１に表示する（ステップＳ１３）。
【００５７】
ユーザ９００は、重畳画像を参照しながら、重畳画像中の部位画像の位置に、自らの測定部位（ユーザの手）を合わせる（ステップＳ１４）。部位画像の位置と測定部位との位置が一致すると、外部機器２００が、ヘルスケア機器１００に測定開始の指示を送信する（ステップＳ１５）。これにより、ヘルスケア機器１００は、測定処理を実施する。そして、ヘルスケア機器１００は、測定結果を外部機器２００に送信する（ステップＳ１６）。外部機器２００は、受信した測定結果を表示部２０１に表示する（ステップＳ１７）。ユーザ９００は、表示された測定結果を確認する。
【００５８】
＜ヘルスケア機器１００の動作＞
続いて、本実施の形態にかかるヘルスケア機器１００の具体的な動作について、図９に示すフローチャートを用いて説明する。まず、電源スイッチ１０４の押下に応じて、ヘルスケア機器１００の電源がオン状態となる（ステップＳ２０１）。
【００５９】
次に、制御部１１３は、通信部１１６が外部機器２００から測定開始指示信号を受信したか否かを判定する（ステップＳ２０２）。測定開始指示信号とは、外部機器２００からヘルスケア機器１００に対して測定の開始を指示するための信号である。
【００６０】
通信部１１６が測定開始指示信号を受信していない場合（ステップＳ２０２：Ｎｏ）、ヘルスケア機器１００は、測定開始指示信号を受信するまで待機する。
【００６１】
通信部１１６が測定開始信号を受信した場合（ステップＳ２０２：Ｙｅｓ）、測定光学部１０６及び測定処理部１１４は、制御部１１３の命令に応じて、測定処理を実行する（ステップＳ２０３）。具体的には、測定光学部１０６が、測定窓１０３からヘルスケア機器１００外部に赤外線を照射する。そして、測定処理部１１４が、ユーザ（被験者）の測定部位に赤外線が反射した反射光を受光し、反射光の光量等に基づいて、血糖値の測定を行う。
【００６２】
次に、表示部１０１は、測定処理部１１４により測定された血糖値を表示する（ステップＳ２０４）。これにより、ユーザは、自らの血糖値を確認することができる。また、通信部１１６は、制御部１１３の命令に応じて、測定結果を外部機器２００に送信する（ステップＳ２０５）。これにより、ユーザは、外部機器２００でも測定結果を確認することができる。また、外部機器２００のアプリケーション等を用いて、測定結果を管理、解析することもできる。
【００６３】
＜外部機器２００の動作＞
続いて、本実施の形態にかかる外部機器２００の具体的な動作について、図１０に示したフローチャートを参照して説明する。まず、外部機器２００の図示しない電源スイッチの操作に応じて、外部機器２００の電源がオン状態となる（ステップＳ３０１）。
【００６４】
次に、ユーザの操作に応じて、撮像部２０２が撮像処理を行う（ステップＳ３０２）。表示部２０１は、撮像部２０２により生成された撮像画像を表示する（ステップＳ３０３）。
【００６５】
次に、制御部２１４は、撮像画像に予め定められたＡＲマーカ１０５が含まれているか否かを判定する（ステップＳ３０４）。撮像画像にＡＲマーカ１０５が含まれていない場合（ステップＳ３０４：Ｎｏ）、制御部２１４は、マーカの検出処理を継続する。
【００６６】
一方、撮像画像にＡＲマーカ１０５が含まれている場合（ステップＳ３０４：Ｙｅｓ）、画像生成部２１５は、重畳画像を生成する（ステップＳ３０５）。そして、表示部２０１は、生成された重畳画像を表示する（ステップＳ３０６）。
【００６７】
ここで、図１１に示すように、ユーザは、重畳画像内の自らの手画像９０１（重畳画像内のユーザの手の画像）が表示部２０１に表示された重畳画像内の部位画像８０１に重なるように、手を動かす。なお、図１１に示した例においては、部位画像８０１は、手の形状をした立体透過画像である。そして、制御部２１４（判定手段）は、重畳画像において、部位画像８０１の位置と手画像９０１の位置とを比較し、比較結果に基づいて、部位画像８０１の位置と手画像９０１の位置とが一致したか否かを判定する（ステップＳ３０７）。このとき、位置が一致している場合とは、部位画像８０１と手画像９０１とが画素単位で一致している場合だけでなく、重畳画像における部位画像８０１と手画像９０１との距離が所定距離以下となった場合も含まれる。
【００６８】
部位画像８０１と手画像９０１とが一致していない場合（ステップＳ３０７：Ｎｏ）、制御部２１４は、部位画像８０１の位置と手画像９０１の位置とが一致しているか否かの判定を継続する。
【００６９】
一方、部位画像８０１と手画像９０１とが一致した場合（ステップＳ３０７：Ｙｅｓ）、制御部２１４は、通信部２１７を介して、ヘルスケア機器１００に測定開始指示信号を送信する（ステップＳ３０８）。つまり、測定開始指示信号とは、ユーザの測定部位（手画像９０１）の位置と測定機器の予め決められた測定位置（部位画像８０１）とが一致したことを示す信号である。
【００７０】
測定開始指示信号を受信したヘルスケア機器１００は、測定処理を開始する。そして、ヘルスケア機器１００は、測定結果を外部機器２００に送信する。
【００７１】
その後、通信部２１７は、ヘルスケア機器１００から送信された測定結果を受信する（ステップＳ３０９）。そして、表示部２０１は、測定結果を表示する。また、制御部２１４は、測定結果を補助記憶部２１１に格納する（ステップＳ３１０）。
【００７２】
以上のように、本実施の形態にかかる外部機器２００の構成によれば、制御部２１４がヘルスケア機器１００のＡＲマーカ１０５を検出すると、画像生成部２１５が部位画像を含む重畳画像を生成する。このため、ユーザは、重畳画像内の部位画像と自らの手画像とを確認しながら、ヘルスケア機器１００の予め決められた適切な位置に、自らの手を配置することができる。
【００７３】
また、重畳画像内において、部位画像の位置と手画像の位置とが一致した場合に、外部機器２００は、ヘルスケア機器１００に測定開始を指示する。そのため、ヘルスケア機器１００は、ユーザの手がヘルスケア機器１００の予め決められた最適な位置に配置されたタイミングにおいて、測定処理を開始する。したがって、測定精度を向上させることができる。
【００７４】
＜変形例１＞
本実施の形態にかかる変形例１について説明する。変形例１にかかる外部機器２００は、ユーザの体格情報を取得する。そして、外部機器２００は、ユーザの体格情報に基づいて、重畳画像中の部位画像の大きさを調整する点に特徴を有する。なお、その他の構成については図６及び図７に示した外部機器２００と同様であるので、説明を適宜省略する。
【００７５】
制御部２１４は、操作部２１３を用いてユーザにより入力された体格情報を取得する。つまり、操作部２１３が体格情報取得手段として機能する。ここで、体格情報とは、ユーザの体格に関する情報であり、例えば、身長、体重、胸囲、腹囲、手の大きさ、足の大きさ等である。なお、撮像部２０２及び制御部２１４を体格情報取得手段としてもよい。具体的には、撮像部２０２がユーザの手や足を含む撮像画像を撮像する。そして、制御部２１４が、撮像画像中の手や足の大きさに基づいて、体格情報を取得してもよい。
【００７６】
画像生成部２１５は、取得した体格情報に基づいて、重畳画像中の部位画像の大きさを調整する。例えば、ユーザの体格（身長、体重、胸囲、腹囲、手の大きさ、足の大きさ等）が予め設定された基準値よりも大きい程、部位画像の大きさを大きくする。また、ユーザの体格が基準値よりも小さい程、部位画像の大きさを小さくする。
【００７７】
例えば、図１２に示すように、ユーザの手画像９０１の大きさに応じて、部位画像の大きさを小さくする。具体的には、デフォルト（基準値）の大きさ（上述の実施の形態２の大きさ）の部位画像８０１ａから部位画像８０１ｂの大きさに変更する。これにより、部位画像の大きさがユーザの手画像９０１に対応する大きさに調整される。
【００７８】
このように、変形例１にかかる外部機器２００の構成によれば、部位画像の大きさをユーザの測定部位の大きさに合わせることができる。したがって、外部機器２００は、より正確な位置に、ユーザの手を誘導することができる。
【００７９】
＜変形例２＞
本実施の形態にかかる変形例２について説明する。変形例２にかかる外部機器２００においては、重畳画像における部位画像の姿勢が変化する点に特徴を有する。なお、その他の構成については図６及び図７に示した外部機器２００と同様であるので、説明を適宜省略する。
【００８０】
画像生成部２１５は、体の異なる複数の箇所をヘルスケア機器１００の測定窓１０３に合わせて測定する必要がある場合、重畳画像における部位画像の位置や姿勢を変化させる。例えば、画像生成部２１５は、測定箇所が２カ所ある場合、測定する順番に２つの異なる位置または姿勢の部位画像を表示する。
【００８１】
部位画像の変化の一例を図１３に示す。図１３に示した例においては、はじめの測定箇所が人差し指の先端であり、その次の測定箇所が手のひらの中央部である。この場合、部位画像８０１の位置は、人差し指が測定窓１０３に重なっている状態（図１３（ａ））から、手のひらの中央部が測定窓１０３に重なっている状態（図１３（ｂ））に連続的に変化する。つまり、画像生成部２１５は、部位画像８０１の位置移動または姿勢変化の過程も表示された動画として、重畳画像を生成する。言い換えると、画像生成部２１５は、ヘルスケア機器１００が複数の異なる姿勢の部位を連続して測定する場合、複数の異なる姿勢の部位画像を撮像画像に連続して重畳させることにより、重畳画像を生成する。
【００８２】
このように，変形例２にかかる外部機器２００の構成によれば、測定に際して連続的な動作を伴う場合であっても、測定部位を変更することを直感的にユーザに伝えることができる。その結果、外部機器２００は、より正確な位置に、ユーザの手を誘導することができる。
【００８３】
＜変形例３＞
本実施の形態にかかる変形例３について説明する。上述の実施の形態においては、重畳画像において、部位画像の位置と手画像の位置とが一致したか否かを判定する処理は、外部機器２００の制御部２１４が行っているが、これに限られるものではない。変形例３においては、ヘルスケア機器１００の制御部１１３が、上記の判定を行う。
【００８４】
具体的には、外部機器２００は、撮像部２０２により生成された撮像画像をヘルスケア機器１００に逐次送信する。ヘルスケア機器１００の制御部１１３は、撮像画像における手画像の位置が測定機器の予め決められた測定位置に一致したか否かを判定する。このときの判定処理は、上述の実施の形態と同様に、部位画像を含む重畳画像を生成して、手画像と部位画像との位置を比較してもよい。また、部位画像を用いずに、撮像画像において予め決められた測定位置を示す座標を取得し、撮像画像中の当該座標と手画像の位置（座標）とを比較してもよい。
【００８５】
そして、制御部１１３は、撮像画像における手画像の位置が測定機器の予め決められた測定位置に一致した場合、測定光学部１０６及び測定処理部１１４に、測定処理の開始を指示する。これにより、ユーザの手が予め決められた位置に配置されたときに、ヘルスケア機器１００は、測定処理を開始することができる。つまり、変形例３においては、制御部１１３は、外部機器２００からの測定開始指示信号ではなく、制御部１１３（判定手段）の判定結果に基づいて、測定部位の測定を開始する。
【００８６】
なお、本発明は上記実施の形態に限られたものではなく、趣旨を逸脱しない範囲で適宜変更及び組み合わせをすることが可能である。例えば、ヘルスケア機器１００や外部機器２００の形状や各部の配置位置等は上述の実施の形態に限られない。また、実施の形態２においては、ＡＲマーカ１０５を用いて部位画像の表示位置や姿勢を特定していたが、ヘルスケア機器１００全体の形状をマーカとして使用してもよい。この場合、ヘルスケア機器１００に別途ＡＲマーカを設ける必要はない。さらに、ヘルスケア機器１００の位置等の特定は、ＡＲマーカ１０５やヘルスケア機器１００の外形等、予め決められた形状を認識してヘルスケア機器１００の位置を特定する手法（いわゆるビジョンベースＡＲ）に限られない。例えば、ＧＰＳから取得した位置情報、磁気センサから取得した方角情報、加速度センサから取得した外部機器２００の姿勢（傾き）情報等に基づいて、ヘルスケア機器１００の位置等を特定してもよい（いわゆる、ロケーションベースＡＲ）。
【００８７】
また、上述のヘルスケア機器及び外部機器の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００８９】
１  測定支援装置
１１  画像取得部
１２  画像生成部
１３  表示部
１００  ヘルスケア機器
１０１  表示部
１０２  操作部
１０３  測定窓
１０４  電源スイッチ
１０５  ＡＲマーカ
１０６  測定光学部
１１１  補助記憶部
１１２  主記憶部
１１３  制御部
１１４  測定処理部
１１５  電源部
１１６  通信部
２００  外部機器
２０１  表示部
２０２  撮像部
２１１  補助記憶部
２１２  主記憶部
２１３  操作部
２１４  制御部
２１５  画像生成部
２１６  電源部
２１７  通信部
【図１】
2015167673.tif 000003
【図２】
2015167673.tif 000004
【図３】
2015167673.tif 000005
【図４】
2015167673.tif 000006
【図５】
2015167673.tif 000007
【図６】
2015167673.tif 000008
【図７】
2015167673.tif 000009
【図８】
2015167673.tif 000010
【図９】
2015167673.tif 000011
【図１０】
2015167673.tif 000012
【図１１】
2015167673.tif 000013
【図１２】
2015167673.tif 000014
【図１３】
2015167673.tif 000015